(57)【要約】【課題】ユーザの快適度を高めるとともに意匠性を向上させた室内機を備える空気調和機及び空気調和機用生理活性物質担持部材を提供する。【解決手段】空気調和の対象となる室内の空気を吸い込む空気吸い込み口と１０２ａ，１０２ｂと、空気吸い込み口１０２ａ，１０２ｂから吸い込まれた空気との間で熱交換することにより空気調和を行う熱交換器３と、熱交換器３において熱交換された空気を室内に放出する空気吹き出し口１０２ｃ，１０２ｄと、空気吹き出し口１０２ｃ，１０２ｄから空気を室内に吹き出すためのクロスフローファン４と、空気吹き出し口１０２ｃ，１０２ｄから吹き出される空気に対して放出される生理活性物質を保持しているとともに、空気吸い込み口１０２ａ，１０２ｂと空気吹き出し口１０２ｃ，１０２ｄとの間に配置された生理活性物質担持部材２５と、を備えるようにする。【選択図】図４
2017078559.tif 000002
【特許請求の範囲】
【請求項１】
空気調和の対象となる室内の空気を吸い込む空気吸い込み口と、
当該空気吸い込み口から吸い込まれた空気との間で熱交換することにより空気調和を行う熱交換器と、
当該熱交換器において熱交換された空気を室内に放出する空気吹き出し口と、
当該空気吹き出し口から空気を室内に吹き出すためのクロスフローファンと、
前記空気吹き出し口から吹き出される空気に対して放出される生理活性物質を保持しているとともに、前記空気吸い込み口と前記空気吹き出し口との間に配置された生理活性物質担持部材と、を備える室内機を具備することを特徴とする、空気調和機。
【請求項２】
前記生理活性物質担持部材は、前記空気吹き出し口の近傍に配置されていることを特徴とする、請求項１に記載の空気調和機。
【請求項３】
前記生理活性物質担持部材は、前記熱交換器が配置されて熱交換が行われる空気が通流する第一流路とは異なる第二流路に配置されていることを特徴とする、請求項１又は２に記載の空気調和機。
【請求項４】
前記第二流路は、前記第一流路よりも正面側に配置されていることを特徴とする、請求項３に記載の空気調和機。
【請求項５】
前記生理活性物質担持部材は箱形状であり、
当該箱形状の生理活性物質担持部材における長手方向と、前記生理活性物質担持部材に接触する空気の流れ方向とが同方向になるように、前記生理活性物質担持部材が配置されていることを特徴とする、請求項１又は２に記載の空気調和機。
【請求項６】
前記生理活性物質担持部材は、筐体と、当該筐体の内部に保持されるとともに前記生理活性物質を担持したフィルタとを備えて構成され、
前記筐体は、
枠形状を有し、前記フィルタを収容するベース部材と、
当該ベース部材に対して回動可能に接続されるとともに、前記ベース部材に収容されるフィルタとは異なるフィルタを収容する、枠形状の蓋部材と、
前記ベース部材と前記蓋部材とが対向するように折り畳んだときに、前記ベース部材に収容されたフィルタと、前記蓋部材に収容されたフィルタとの間に配置される仕切り部材と、を備えていることを特徴とする、請求項１又は２に記載の空気調和機。
【請求項７】
前記仕切り部材は、
前記ベース部材に収容されたフィルタを保持可能に、前記ベース部材に対して一体に形成された第一仕切り部材と、
前記蓋部材に収容されたフィルタを保持可能に、前記蓋部材に対して一体に形成された第二仕切り部材と、
であり、
前記第一仕切り部材が形成された前記ベース部材の部位と、当該部位から視て反対側となる部位とを結ぶ方向の前記ベース部材の内寸をＬｂａｓｅとしたときに、前記第一仕切り部材における当該方向と同じ方向の長さＬａがＬｂａｓｅ／２以下であり、
前記第二仕切り部材が形成された前記蓋部材の部位と、当該部位から視て反対側となる部位とを結ぶ方向の前記蓋部材の内寸をＬｃｏｖｅｒとしたときに、前記第二仕切り部材における当該方向と同じ方向の長さＬｂがＬｃｏｖｅｒ／２以下であることを特徴とする、請求項６に記載の空気調和機。
【請求項８】
前記生理活性物質担持部材は、筐体と、当該筐体の内部に保持されるとともに前記生理活性物質を担持したフィルタとを備えて構成され、
前記筐体を展開したときの当該筐体の上面視で当該筐体を構成する各部材同士が離間するように、前記筐体が構成されていることを特徴とする、請求項１又は２に記載の空気調和機。
【請求項９】
空気調和の対象となる室内の空気を吸い込む空気吸い込み口と、
当該空気吸い込み口から吸い込まれた空気との間で熱交換することにより空気調和を行う熱交換器と、
当該熱交換器において熱交換された空気を室内に放出する空気吹き出し口と、
当該空気吹き出し口から空気を室内に吹き出すためのクロスフローファンと、を備える室内機を具備する空気調和機に備えられ、
前記空気吹き出し口から吹き出される空気に対して放出される生理活性物質を保持しているとともに、前記空気吸い込み口と前記空気吹き出し口との間に配置され、
前記生理活性物質を担持したフィルタと、
枠形状を有し、前記フィルタを収容するベース部材と、
当該ベース部材に対して回動可能に接続されるとともに、前記ベース部材に収容される前記フィルタとは別の前記フィルタを収容する、枠形状の蓋部材と、
前記ベース部材と前記蓋部材とが対向するように折り畳まれた状態で、前記ベース部材に収容された前記フィルタと前記蓋部材に収容された前記フィルタとの間に配置される仕切り部材と、を備えて構成されていることを特徴とする、空気調和機用生理活性物質担持部材。
【発明の詳細な説明】
【技術分野】
【０００１】
本発明は空気調和機及び空気調和機用生理活性物質担持部材に関する。
【背景技術】
【０００２】
空気調和機の室内機は、吸い込み口と吹き出し口とを有した筺体の内部に、冷凍サイクルを構成する熱交換器やファン等を備えている。ファンによって室内機に取り込まれた空気は、熱交換器により熱交換され、室内に供給される。熱交換器を通過して吹き出された空気は非常に乾燥しているため、直接ユーザに向けて送風を行うと、肌や喉の乾燥を招き、ユーザに不快感を与えることになる。そのため、空気調和機に付与される機能として、肌や喉の乾燥を抑制する機能については、ユーザの関心が非常に高い。
【０００３】
肌や喉の乾燥を防ぐ技術して、以下のような技術が知られている。例えば、イオン発生によって正負イオンを生じさせて、この正負イオンを送風機の低速気流に乗せてユーザに照射することにより、肌表面に照射するイオン濃度を所定値以上に高める技術である。これにより、正負イオンが肌表面上で反応することで生成する水が肌にうるおいを与え、肌弾力を向上させることになる。
【０００４】
また、このような技術のほかにも、以下の特許文献１に記載の技術が知られている。特許文献１には、吸い込み口と吹き出し口とを結ぶ空気通路に送風ファンを設けてなる空気調和機において、前記吹き出し口に、ビタミン関連化合物を放出するフィルタと、同フィルタを包むとともにマイナスイオンを発生する通気部材と、同通気部材に包まれたフィルタを収容した通気性を有するケース７からなるビタミンカセットを着脱可能に設けたことが記載されている。
【先行技術文献】
【特許文献】
【０００５】
【特許文献１】特開２００６−５２８６８号公報
【発明の概要】
【発明が解決しようとする課題】
【０００６】
特許文献１に記載の発明では、ビタミンカセット（生理活性物質担持部材）は、着脱のし易さの観点から、吹き出し口近傍において外部に露出して、配置されている。しかし、ビタミンカセットがこのように配置されると、ビタミンカセットが使用者によって視認可能となるため、室内機の意匠性が低下する。
【０００７】
本発明はこのような課題に鑑みて為されたものであり、本発明が解決しようとする課題は、ユーザの快適度を高めるとともに意匠性を向上させた室内機を備える空気調和機及び空気調和機用生理活性物質担持部材を提供することにある。
【課題を解決するための手段】
【０００８】
本発明者らは前記課題を解決するために鋭意検討を行った結果、生理活性物質担持部材を室内機の内部に配置することで前記課題を解決できることを見出した。
【発明の効果】
【０００９】
本発明によれば、ユーザの快適度を高めるとともに意匠性を向上させた室内機を備える空気調和機及び空気調和機用生理活性物質担持部材を提供することができる。
【図面の簡単な説明】
【００１０】
【図１】本実施形態の空気調和機に備えられる室内機の外観を示す図である。
【図２】室内機の運転中の外観を示す図である。
【図３】本実施形態の空気調和機における冷凍サイクルを示す図である。
【図４】本実施形態の空気調和機に備えられる室内機の内部を示す図である。
【図５】室内機の内部における空気の流れを示す図である。
【図６】本実施形態の空気調和機の室内機に備えられる生理活性物質担持カセットを展開したときの斜視図である。
【図７】図６に示した生理活性物質担持カセットを構成するフィルタケースを示す斜視図である。
【図８】図６に示した生理活性物質担持カセットを構成するフィルタケースを示す上面図である。
【図９】生理活性物質担持カセットについての別の実施形態であり、（ａ）は生理活性物質担持フィルタを内部に収容した状態を示す図であり、（ｂ）は（ａ）のＡ−Ａ線断面図である。
【発明を実施するための形態】
【００１１】
以下、図面を適宜参照しながら本発明を実施するための形態（本実施形態）を説明する。
【００１２】
図１は、本実施形態の空気調和機２００（図３参照、図１では図示しない）に備えられる室内機１００の外観を示す図である。室内機１００には、左側上部上下風向板１６、中央上部上下風向板１７、右側上部上下風向板１８、左側下部上下風向板１９、中央下部上下風向板２０及び右側下部上下風向板２１が備えられている。そして、これらが開口することで、空気調和された空気の室内への吹き出し口が形成される。また、これらが開口して前後方向に回動することで、正面側（具体的には、上下方向。奥行き方向と手前側方向を含む）への風の方向が変化する。この点の詳細については図２を参照しながら後記する。なお、左側上部上下風向板１６の背面側には、スリット２９（空気吹き出し口１０２ｄ）が形成されている。この点の詳細についても、図２や図４を参照しながら後記する。
【００１３】
また、これらのうち、左側上部上下風向板１６、中央上部上下風向板１７及び右側上部上下風向板１８は前側（正面側）に配置されるものである。これらにはそれぞれ駆動モータ（図示しない）が接続され、これらはそれぞれ独立した駆動が可能になっている。また、左側下部上下風向板１９、中央下部上下風向板２０及び右側下部上下風向板２１も後側（背面側）に配置されるものであり、これらについても同様に、それぞれ独立した駆動が可能になっている。
【００１４】
以下、左側上部上下風向板１６、中央上部上下風向板１７、右側上部上下風向板１８、左側下部上下風向板１９、中央下部上下風向板２０及び右側下部上下風向板２１を纏めて、単に「上下風向板」と略記することがある。
【００１５】
上下風向板の上方には、上方が開口することで空気吸い込み口を形成する前面パネル７が取り付けられている（詳細については図４を参照しながら後記する）。前面パネル７と上下風向板との間には、空気調和機２００の運転状況を表示する表示部２２と、センサ部２３と、別体のリモコン（図示しない）からの赤外線の操作信号を受ける受光部２４とが配置されている。表示部２２、センサ部２３及び受光部２４の左右両端には、前面パネル７の表面と上下風向板の表面とが平滑になるように、フロントカバー３６が取り付けられている。
【００１６】
センサ部２３は、室内を撮影するものである。図示しない演算制御部は、このセンサ部２３により撮影された室内の像に基づいて上下風向板の駆動を制御し、室内の状況に応じた送風を行っている。なお、演算制御部は、いずれも図示しないが、ＣＰＵ（Central Processing Unit）、ＲＡＭ（Random Access Memory）、ＲＯＭ（Read Only Memory）、ＨＤＤ（Hard Disk Drive）、Ｉ／Ｆ（インターフェイス）等を備えて構成される。そして、演算制御部は、ＲＯＭに格納されている所定の制御プログラムがＣＰＵによって実行されることにより具現化される。
【００１７】
図２は、室内機１００の運転中の外観を示す図である。室内機１００の運転が開始されると、上下風向板は正面側に開き、空気吹き出し口１０２ｃが形成される。これとともに、左側上部上下風向板１６の背面側に配置されていたスリット２９（空気吹き出し口１０２ｄ）が露出する。このスリット２９の内側、即ち上下風向板の上方には、後記する生理活性物質担持カセット２５が配置されている。
【００１８】
前記のように、上下風向板を構成する、左側上部上下風向板１６、中央上部上下風向板１７、右側上部上下風向板１８、左側下部上下風向板１９、中央下部上下風向板２０及び右側下部上下風向板２１は、それぞれ独立して駆動するようになっている。従って、これらが独立して駆動することで、室内における上下方向（奥行き方向と手前側方向を含む）の所望の位置に精度よく送風することが可能となる。また、この送風とは独立して、スリット２９からの生理活性物質を含んだ空気が吹き出される。
【００１９】
ここで、空気調和機１００における冷凍サイクルについて、図３を参照しながら簡単に説明する。
【００２０】
図３は、本実施形態の空気調和機２００における冷凍サイクルを示す図である。図３は、冷凍サイクルの一例として、暖房時の冷媒の通流方向を示すものである。空気調和機２００は、図１に示した室内機１００と、室外機１０１とを備えて構成される。室内機１００は、詳細は図４を参照しながら後記するが、熱交換器３（室内熱交換器）と、クロスフローファン４とを備えて構成される。室外機１０１は、圧縮機１１と、四方弁１２と、プロペラファン１３と、熱交換器１４（室外熱交換器）と、膨張弁１５とを備えて構成される。
【００２１】
暖房運転時には、圧縮機１１において圧縮されて高圧になった気体冷媒は、室内機１１０の熱交換器３に供給される。そして、室内機１００に室内から吸い込まれた空気との間で、熱交換器３において熱交換されて、クロスフローファン４によって暖められた空気が室内に吹き出される。一方で、熱交換器３において熱を失い液体に変化した冷媒は、室外機１０１の膨張弁１５において膨張され、低圧の気液混合冷媒になる。そして、室外機１０１の熱交換器１４において、プロペラファン１３によって室外の熱を受け取り、低圧の気体冷媒となる。この気体冷媒は、圧縮機１１に供給されて圧縮された後、再度、室内機１００の熱交換器３に供給される。
【００２２】
図４は、本実施形態の空気調和機２００に備えられる室内機１００の内部を示す図である。室内機１００の内部には、熱交換器３（室内熱交換器）と、熱交換器３によって囲われるようにして配置されるクロスフローファン４と、クロスフローファン４から視て正面側に配置されるドレンパン５（露受皿）等が備えられている。これらは、室内機１００の外形を司る化粧枠６によって覆われており、化粧枠６の前面には、上方を開口可能に配置された前面パネル７が取り付けられている。
【００２３】
また、クロスフローファン４の下方には、左右方向への風の流れを形成する左右風向板８が備えられている。左右風向板８は、図示はしないが、左右方向に対称となるように二つの風向板により構成されている。それぞれの風向板には独立した駆動モータが備えられており、それぞれの風向板が独立して制御可能になっている。これにより、室内における左右方向の所望の位置に空気を送風することが可能になっている。
【００２４】
室内機１００においては、室内の空気は、上面に形成された空気吸い込み口１０２ａと、前面パネル７の上方が開口することで形成される空気吸い込み口１０２ｂとの双方から取り込まれる。一方で、室内機１００に取り込まれた空気は、熱交換器３に接触した空気を吹き出す空気吹き出し口１０２ｃと、熱交換器３には接触せずに生理活性物質担持カセット２５に接触した空気を吹き出す空気吹き出し口１０２ｄとの双方から室内に吹き出される。なお、後者の空気吹き出し口１０２ｄは、スリット２９により構成されるものである。
【００２５】
生理活性物質担持カセット２５は、その構造の詳細は図６等を参照しながら後記するが、ユーザの肌表面に対して作用する保水性分としての生理活性物質を担持した、生理活性物質担持フィルタ２７を備えるものである。そして、この生理活性物質担持フィルタ２７がフィルタケース２６に収容されることで、生理活性物質担持カセット２５が構成される。生理活性物質担持カセット２５は、室内機１００の内部に脱着可能に取り付けられている。なお、ここでいう生理活性物質は、空気中の水分に対して溶解可能なものであり、室内機１００では、アスコルビン酸及びアスコルビン酸リン酸マグネシウムのうちの少なくとも一種である。
【００２６】
生理活性物質担持カセット２５は、室内機１００の内部であって、上下風向板や空気吹き出し口１０２ｄの近傍に配置されている。そして、室内機１００の内部において、後側（背面側）にクロスフローファン４が設けられているとともに、クロスフローファン４の前面側（正面側）には生理活性物質担持カセット２５が配置されている。このクロスフローファン４と生理活性物質担持カセット２５との間にはドレンパン５が配置されている。そのため、室内機１００の内部には、クロスフローファン４及びそれを囲うように配置された熱交換器３に接触する空気の流れ（図５に示す主流路２８ａ、第一流路）と、クロスフローファン４及び熱交換器３とは接触せずに、生理活性物質担持カセット２５に接触する空気の流れ（図５に示す副流路２８ｂ、第二流路）との二つが形成されることになる。
【００２７】
ここで、図５を参照しながら、前記二つの流路（主流路２８ａ及び副流路２８ｂ）について説明する。
【００２８】
図５は、室内機１００の内部における空気の流れを示す図である。図５では、図示の都合上前面パネル７が閉じた状態を示しているが、空気の吸い込み（即ち室内機１００の運転中）には、前面パネル７の上方は開口している。また、図５では、図示の簡略化のために、空気吸い込み口１０２ｂから取り込まれた空気の流れのみを示しているが、前記のように、室内の空気は、上面に形成された空気吸い込み口１０２ａからも室内機１００の内部に吸い込まれる。これらの空気の吸い込みは、クロスフローファン４の駆動によって生じる。
【００２９】
空気吸い込み口１０２ｂから吸い込まれた空気は、主流路２８ａ又は副流路２８ｂを通流する。このような二つの流路に分かれて通流する流れは、前記のようにクロスフローファン４の駆動によって生じる。即ち、クロスフローファン４が駆動すると、室内機１００に室内の空気が吸い込まれる。このとき、空気は、空気吸い込み口１０２ａ，１０２ｂの双方から吸い込まれる。そして、これらの空気吸い込み口１０２ａ，１０２ｂのうち、前面側の空気吸い込み口１０２ｂから吸い込まれた空気は、クロスフローファン４による吸引力によって主流路２８ａに向かうほか、当該吸引力によって、主流路２８ａから分岐して形成された副流路２８ｂにも流れ込む。この結果、室内機１００では特別な設備を設置することなく、副流路２８ｂに対しても室内の空気が通流することになる。
【００３０】
さらには、副流路２８ｂを通流する空気の空気吹き出し口１０２ｄとなるスリット２９は、クロスフローファン４を配置した主流路２８ａを通流する空気の空気吹き出し口１０２ｃの近傍に配置されている。そのため、クロスフローファン４による空気吹き出し口１０２ｃからの高速の強制的な空気の吹き出しに伴い、スリット２９（空気吹き出し口１０２ｄ）から、副流路２８ｂ内の空気が引っ張られる。これにより、副流路２８ｂにおける空気の流れが促進される。
【００３１】
そして、主流路２８ａを通流する過程では熱交換器３により、また、副流路２８ｂを通流する過程では生理活性物質担持カセット２５により、空気調和が行われる。特に、副流路２８ｂには、熱交換器３を経由していない、即ち、熱交換器３による空気調和が行われない空気が通流することになる。そのため、例えば夏季には、熱交換器３によって除湿される前の多湿な空気が生理活性物質担持カセット２５に接触することから、季節によらず年間を通じて、十分な量の生理活性物質が室内への空気中に放出される。
【００３２】
また、副流路２８ｂに配置された生理活性物質担持カセット２５は、図５に示すように、副流路２８ｂを通流する空気の流れに対して平行になるように配置されている。平行に配置することで、空気が生理活性物質担持カセット２５の表面をなめるように流れることになり、空気と生理活性物質担持カセット２５との接触時間が長くなる。そのため、多くの生理活性物質を空気中に放出することができ、肌への保水性が高められる。
【００３３】
図４に戻って、室内機１００の構造及び効果についての説明を引き続き行う。
【００３４】
図４に示すように、生理活性物質担持カセット２５は、上下風向板（左側上部上下風向板１６、中央上部上下風向板１７、右側上部上下風向板１８、左側下部上下風向板１９、中央下部上下風向板２０及び右側下部上下風向板２１）の上方であって、かつ、上下風向板が閉じたときに上下風向板の内側になるように、室内機１００の内部に配置されている。このような位置に生理活性物質担持カセット２５が配置されることで、上下風向板が閉じているときには勿論、開いているときにも生理活性物質担持カセット２５が外部から視認されることがない。そのため、意匠性に優れた室内機１００が得られる。
【００３５】
また、室内機１００の内部に生理活性物質担持カセット２５が配置されることで、生理活性物質担持カセット２５の耐久性が向上する。これは、室内機１００の運転停止中にはクロスフローファン４は駆動しておらず、室内機１００の内部に空気の流れは生じていないことによる。例えば生理活性物質担持カセット２５を室内機の外側（例えば前記の特許文献１を参照）に配置すれば、室内の空気が生理活性物質担持カセット２５に接触し続けることになる。そのため、生理活性物質が、生理活性物質担持カセット２５から室内の空気に放出される続けることになる。
【００３６】
しかし、本実施形態の室内機１００のように、空気の流れが生じずに、かつ、前面パネル７等によってある程度密閉された空間となっている室内機１００の内部に生理活性物質担持カセット２５が配置されることで、運転停止中の生理活性物質の空気への放出が抑制される。生理活性物質担持カセット２５に保持された生理活性物質の量は有限であるため、運転停止中に空気への放出が抑制されることで、生理活性物質担持カセット２５の機能を長期間維持することが可能となる。
【００３７】
また、生理活性物質担持カセット２５が副流路２８ｂ内であって、空気吹き出し口１０２ｄ（スリット２９）の近傍に配置されていることで、生理活性物質担持カセット２５は、副流路２８ｂのうちで最も流路が狭くなるとともに流速が最も速くなる位置に配置されることになる。そのため、空気への生理活性物質の放出が促され、効率的な生理活性物質の空気の放出が可能となる。
【００３８】
さらには、室内機１００は、通常は上下方向の大きさは制限されるものの、前後方向の大きさ（手前側への張り出し）にはある程度の自由度がある。そのため、副流路２８ｂ及び生理活性物質担持カセット２５を正面側に配置することで、室内機１００の上下方向の長さを変えずに生理活性物質担持カセット２５を配置して、ユーザの快適度を向上させることができる。
【００３９】
図６は、本実施形態の空気調和機２００の室内機１００に備えられる生理活性物質担持カセット２５を展開したときの斜視図である。生理活性物質担持カセット２５は、箱形状を有するものであり、ポリプロピレン等の樹脂製のフィルタケース２６（筐体）に、プリーツ状の生理活性物質担持フィルタ２７が二つ収容されて構成されている。このフィルタケース２６は、ヒンジ機構３４によってベース部材３０と蓋部材３１とが回動してこれらの内側が外部に露出するように、即ちフィルタケース２６が展開するように、構成されている。この回動は、図６において実線矢印で示すように行われる。
【００４０】
ベース部材３０及び蓋部材３１はいずれも同じ枠形状を有するものであり、これらがヒンジ機構３４によって接合されている。そして、ベース部材３０及び蓋部材３１のそれぞれには、ベース部材３０及び蓋部材３１のそれぞれの枠に挿入して収容された生理活性物質担持フィルタ２７を挟み込んで保持する仕切り板３２，３３が配置されている。従って、フィルタケース２６を折り畳んだときには、二つの生理活性物質フィルタ２７の間には、仕切り板３２，３３が配置されていることになる。
【００４１】
これらの仕切り板３２，３３のうち、仕切り板３２（第一仕切り部材）はベース部材３０に対して、また、仕切り板３３（第二仕切り部材）はベース部３１に対して、それぞれ一体に形成されている。これにより、部品点数の削減が図られている。さらに、仕切り板３２，３３には、生理活性物質担持カセット２５に収容された生理活性物質担持フィルタ２７にできるだけ空気が接触し易いように、肉抜き部３１ｄ，３１ｅが形成されている。なお、図６では、図示の簡略化のために、仕切り板３３に形成された肉抜き部にのみ、符号３１ｄ，３１ｅを付している。
【００４２】
また、フィルタケース２６の外側表面には、フィルタケース２６を折り畳んだときにフィルタケース２６の内外を連通する肉抜き部３１ａ，３１ｂ，３１ｃが形成されている。なお、図６では、図示の都合上、蓋部材３１に形成された肉抜き部３１ａ，３１ｂ，３１ｃのみを示したが、ベース部材３０に対しても同様に肉抜き部が形成されている（後記する図７も併せて参照）。そして、これらの肉抜き部３１ａ，３１ｂ，３１ｃが形成されることで、生理活性物質担持カセット２５の外側を通流する空気が、生理活性物質担持カセット２５の内部に収容された生理活性物質担持フィルタ２７に接触可能となる。
【００４３】
室内機１００の内部において、生理活性物質担持カセット２５は、その長手方向と、生理活性物質担持カセット２５に接触する空気、即ち、副流路２８ｂを通流する空気の流れとが同方向になるように、生理活性物質担持カセット２５が配置されている。これにより、副流路２８ｂにおいて、生理活性物質担持カセット２５による通流抵抗ができるだけ小さくなる。また、通流抵抗が小さくなっているため、省エネルギ効果も見込まれる。
【００４４】
さらには、生理活性物質担持カセット２５は、その内部に収容される生理活性物質担持フィルタ２７のプリーツの方向に沿って空気が流れるように、副流路２８ｂに配置されている。これにより、プリーツ状の生理活性物質担持フィルタ２７を構成する山の部分よる空気の通流抵抗を小さくでき、生理活性物質の放出を行いつつも騒音の低減効果が図られる。
【００４５】
また、生理活性物質担持カセット２５の内部においては、図６等に示すように二つの生理活性物質担持フィルタ２７が収容されている。そして、生理活性物質担持カセット２５の取り付け時（即ち、フィルタケース２６の折り畳み時）には、収容された二つの生理活性物質担持フィルタ２７同士は、それらの間に配置される仕切り板３１，３２によって接触することがない。そのため、二つの生理活性物質担持フィルタ２７同士の間には空気の流路が確保され、また、生理活性物質担持フィルタ２７の表面には空気との接触面積が確保されることになる。従って、生理活性物質担持カセット２５に接触した空気は、その内部に収容される二つの生理活性物質担持フィルタ２７のそれぞれにおいて、生理活性物質担持フィルタ２７の両面に接触することになる。これにより、生理活性物質の放出効果が高められる。また、生理活性物質担持カセット２５が配置される副流路２８ｂはさほど広くはないが、生理活性物質担持カセット２５の内部に二つの生理活性物質担持フィルタ２７を配置できることから、十分な量の生理活性物質が空気に放出される。
【００４６】
なお、生理活性物質担持カセット２５が使用されるときには、ベース部材３０と蓋部材３１とを折り畳んだ状態で、ベース部材３０に形成された爪部３９が、蓋部材３１に形成された爪掛け部４０に噛合されることで、ベース部材３０及び蓋部材３１が固定される。そして、この状態で、使用者がつまみ部３８を把持しながら室内機１００に装着することで、室内機１００の運転準備が完了する。
【００４７】
図７は、図６に示した生理活性物質担持カセット２５を構成するフィルタケース２６を示す斜視図である。図７は、生理活性物質担持カセット２５から生理活性物質担持フィルタ２７を取り外したときの様子を示すものである。前記のように、ベース部材３０においても、肉抜き部３０ａ，３０ｂ，３０ｃが形成されている。また、ベース部材３０に対して一体に形成された仕切り板３２においても、前記の仕切り板３３と同様に、肉抜き部３０ｄ，３０ｅが形成されている。
【００４８】
前記のように、ベース部材３０と蓋部材３１とは同じ枠形状を有する。従って、ベース部材３０側の肉抜き部３０ａ〜３０ｅの大きさ及び形状は、蓋部材３１に形成された肉抜き部３１ａ〜３１ｅと同じである。即ち、肉抜き部３０ａの大きさ及び形状は肉抜き部３１ａと、肉抜き部３０ｂの大きさ及び形状は肉抜き部３１ｂと、肉抜き部３０ｃの大きさ及び形状は肉抜き部３１ｃと、肉抜き部３０ｄの大きさ及び形状は肉抜き部３１ｄと、肉抜き部３０ｅの大きさ及び形状は肉抜き部３１ｅと、同じである。
【００４９】
図８は、図６に示した生理活性物質担持カセット２５を構成するフィルタケース２６を示す上面図である。図８において、ＬＢＯＸは、ベース部材３０及び蓋部材３１の内寸（即ち、生理活性物質担持フィルタ２７が収容される部分の内寸）を表している。また、Ｌａは、ベース部材３０に一体に形成された仕切り板３２の前後方向の幅を表している。さらに、Ｌｂは、蓋部材３１に一体に形成された仕切り板３３の前後方向の幅を表している。
【００５０】
本実施形態では、生理活性物質担持カセット２５では、仕切り板３２の前後方向の長さＬａは、ベース部材３０の内寸ＬＢＯＸ（Ｌｂａｓｅ）の半分以下（即ち、Ｌａ≦ＬＢＯＸ／２）になっている。また、仕切り板３３の前後方向の長さＬｂは、蓋部材３１の内寸ＬＢＯＸ（Ｌｃｏｖｅｒ）の半分以下（即ち、Ｌｂ≦ＬＢＯＸ／２）になっている。仕切り板３２，３３の大きさをこの範囲にすることで、生理活性物質担持フィルタ２７をベース部材３０及び蓋部材３１の内部に収容し易くなる。
【００５１】
ただし、生理活性物質担持フィルタ２７のベース部材３０及び蓋部材３１へのより確実な保持の観点からは、仕切り板３２の前後方向の長さＬａは、ベース部材３０の内寸ＬＢＯＸの１／３以上（即ち、Ｌａ≧ＬＢＯＸ／３）程度にすることが好ましい。また、同様に、仕切り板３３の前後方向の長さＬｂは、蓋部材３１の内寸ＬＢＯＸの１／３以上（即ち、Ｌｂ≧ＬＢＯＸ／３）程度にすることが好ましい。
【００５２】
また、図８に示すように、ベース部材３０及び蓋部材３１（いずれも筐体）の展開上面視で、各部材同士が重ならないようになっている。即ち、当該上面視で、各部材同士が離間するようにしてベース部材３０及び蓋部材３１が構成されている。例えば、ベース部材３０に着目すれば、仕切り板３２の背面側（図８において紙面奥側）には、ベース部材３０に形成された肉抜き部３０ｃが形成されている。そして、ベース部材３０では、その左右端部同士を架橋するように支持部３０ｆ，３０ｇが形成されているが、仕切り板３２の背面側には、この支持部３０ｆ，３０ｇはいずれも形成されていない。蓋部材３１における仕切り板３３についても同様である。このようにすることで、フィルタケース２６の成型時に金型の形状を簡素化することができ、一方向からのみで成形することが可能となる。そのため、コスト削減が図られる。
【００５３】
図９は、生理活性物質担持カセット２５についての別の実施形態（生理活性物質担持カセット２５Ａ）であり、（ａ）は生理活性物質担持フィルタ２７を内部に収容した状態を示す図であり、（ｂ）は（ａ）のＡ−Ａ線断面図である。図９に示す生理活性物質担持カセット２５Ａでは、その内部に、四つのリブ４１が設けられている。リブ４１は、ベース部材３０に形成された支持部３０ｆ，３０ｇ（図９では図示せず）同士を架橋するように二つと（図９では図示せず）、蓋部材３１に形成された支持部３１ｆ，３１ｇ同士を架橋するように二つとが設けられている。そして、このリブ４１には、プリーツ状の生理活性物質担持フィルタ２７を収容した際に、図９（ｂ）に示すように、生理活性物質担持フィルタ２７の最も端にある山の部分が重なるようになっている。
【００５４】
プリーツ状の生理活性物質担持フィルタ２７を収容した生理活性物質担持カセット２５を運搬すると、その内部に収容された振動で生理活性物質担持フィルタ２７が撓んでしまい、予期せず折り畳まれてしまう可能性がある。そこで、フィルタケース２６の内部にリブ４１を設け、リブ４１に生理活性物質担持フィルタ２７の山の部分が嵌まるようにすることで、生理活性物質担持フィルタ２７が予期せず撓んでしまうことが防止される。
【００５５】
以上、本実施形態について図面を参照しながら説明したが、本実施形態は前記の例になんら限定されるものではない。
【００５６】
例えば、生理活性物質担持フィルタ２７の形状はプリーツ状でなくてもよい。即ち、プリーツ状の生理活性物質担持フィルタ２７を使用することが好ましいものの、例えばシート状等の生理活性物質担持フィルタであっても仕切り板３２，３３を使用することで、前記の効果と同様の効果が得られる。
【００５７】
また、例えば、生理活性物質担持カセット２５は、できるだけ広い流路を確保する観点から、図４や図５等に示される位置に配置することが好ましいものの、副流路２８ｂ（図５参照）内の任意の位置に配置されてもよく、また、必要に応じて、主流路２８ａ内であって熱交換器３よりも正面側に配置されてもよい。また、生理活性物質担持カセット２５には、室内機１００への装着に使用される着脱用爪等が備えられてもよい。
【００５８】
さらには、前記の生理活性物質は、アスコルビン酸及びアスコルビン酸リン酸マグネシウムを併用したものではなく、いずれか一方のみであってもよい。さらに、前記の生理活性物質は、アスコルビン酸やアスコルビン酸リン酸マグネシウムのほか、例えばヒアルロン酸やα−リポ酸、コエンザイムＱ１０、これらの誘導体など、様々な成分を適用可能である。生理活性物質は一種が単独で用いられてもよく、二種以上が任意の比率及び組み合わせで用いられてもよい。
【００５９】
また、スリット２９の隙間から内部に配置された生理活性物質担持フィルタ２５が視認されないように、生理活性物質担持フィルタ２５の外形（即ち、フィルタケース２６の形状）を適宜肉抜きし、生理活性物質担持フィルタ２５の存在が外部からわかりにくくなるようにしてもよい。例えば、図７等に示すように、ベース部材３０の前面側の端面の一部を加工して、視認されにくくしてもよい。
【００６０】
さらに、図８に示す例では、ベース部材３０の内寸（Ｌｂａｓｅ）と蓋部材３１の内寸（Ｌｃｏｖｅｒ）とはいずれも等しい長さ（ＬＢＯＸ）としたが、ベース部材３０の内寸（Ｌｂａｓｅ）と蓋部材３１の内寸（Ｌｃｏｖｅｒ）とは異なるものであってもよい。即ち、収容する生理活性物質担持フィルタ２７の寸法に対応させて、ベース部材３０の内寸と蓋部材３１の内寸とを適宜変更すればよい。そして、それぞれの内寸に対応させて、仕切り板３２，３３の長さを決定すればよい。
【符号の説明】
【００６１】
１  室内機
２  室外機
３  熱交換器
４  クロスフローファン
２５  生理活性物質散布フィルタ
２６  フィルタケース
２８  通風路
２９  スリット
３０  ベース部
３１  蓋部
３２  仕切り板
３３  仕切り板
【図１】
2017078559.tif 000003
【図２】
2017078559.tif 000004
【図３】
2017078559.tif 000005
【図４】
2017078559.tif 000006
【図５】
2017078559.tif 000007
【図６】
2017078559.tif 000008
【図７】
2017078559.tif 000009
【図８】
2017078559.tif 000010
【図９】
2017078559.tif 000011